(57)【要約】【課題】キャスター付きの暖房機に保護ガードを固定一体化させることで、暖房機の移動に追従して常に暖房機から一定距離に存在し幼児や高齢者などが不用意に高温な暖房機に触れることを防止する保護ガードを提供する。【解決手段】保護ガード１を暖房機２の脚３上に設けた固定部４に固定したものである。保護ガード１は暖房機２に固定一体化してあるので、暖房機２を押して移動させても、保護ガード１を引張って移動しても暖房機２の移動に追従して常に暖房機から一定距離に保護ガード１が存在する。【選択図】図２
2006097952.tif 000002
【特許請求の範囲】
【請求項１】
キャスターを備えた脚部と本体とから構成された暖房機の本体周囲に一定の空間を確保して設けた保護ガードにおいて、前記保護ガードは床面に対して所定距離離して暖房機に固定し、暖房機本体とともに移動するようにした保護ガード。
【請求項２】
脚部の上面に固定手段を設け、前記固定手段によって暖房機と固定一体化した請求項１に記載の保護ガード。
【請求項３】
脚部の下面に固定手段を設け、前記固定手段によって暖房機と固定一体化した請求項１に記載の保護ガード。
【請求項４】
暖房機の本体下面に固定手段を設け、前記固定手段によって暖房機と固定一体化した請求項１に記載の保護ガード。
【請求項５】
保護ガードは、キャスターの取付軸を含む前後の平面の間に配設した請求項１〜４のいずれか１項に記載の保護ガード。
【発明の詳細な説明】
【技術分野】
【０００１】
本発明は暖房機本体に固定して、暖房機本体とともに移動可能とした保護ガードに関するものである。
【背景技術】
【０００２】
従来のこの種の保護ガードは、暖房機の周囲床面上に配置して暖房機に対して一定の空間を開けて囲う保護ガードがあった（例えば特許文献１参照）。
【０００３】
図７は、前記公報に記載された従来の保護ガードを示すものである。図７に示すように保護ガードは、後ガード５０と、固定側ガード５１と、可動側ガード５２と、前ガード５３と、ストーブ台５４とから構成され、この中にストーブ５５をストーブ台５４によって固定設置していた。
【特許文献１】特開平７−１２７８７２号公報
【発明の開示】
【発明が解決しようとする課題】
【０００４】
しかしながら前記従来の構成では、床面に設置する方式の保護ガードであるため、暖房機の外形寸法さえ問題なければ（例えば保護ガードより暖房機が大きくなければ）暖房機のタイプに関わらず使用可能である反面、キャスター付きの移動可能な暖房機に使用する場合は、以下のような不具合点があった。
【０００５】
１．暖房機本体がキャスター付きで移動可能であるにも関わらず保護ガードが床置きであるため、暖房機を移動する際にはまず保護ガードを暖房機周囲から取去ってから暖房機の移動を行い、再び保護ガードを設置するという手間がかかる。
【０００６】
２．幼児を高温の暖房機から保護するための保護ガードであるにも関わらず、保護ガードを幼児が押した際に保護ガードのみ移動して暖房機と保護ガードの空間が縮まり、手が暖房機に届いてしまう可能性がある。
【０００７】
３．保護ガードと暖房機本体が固定されていた場合でも、故意あるいは不注意で移動した場合に床面にキズがつく可能性がある。
【０００８】
本発明は前記従来の課題を解決するもので、暖房機本体と保護ガードを一体とすることで暖房機とともに一定空間を確保しながら移動可能な保護ガードを提供することを目的とする。
【課題を解決するための手段】
【０００９】
前記従来の課題を解決するために、本発明の保護ガードは、キャスターを備えた脚部と本体から構成された暖房機の本体周囲に一定空間を確保して保護ガードを設け、この保護ガードは床面との間に空間を持ってこの暖房機に固定して暖房機とガードを一体に構成し暖房機本体とともに移動可能としたものである。
【００１０】
これによって暖房機本体と保護ガードとを一体とすることで、暖房機とともに移動可能という利便性がえられ、さらに常に暖房機周囲を一定空間を保って囲っているため、幼児の接触あるいは子供や大人の不注意による接触を防ぐことができ、暖房機の安全性を高めることができる。
【発明の効果】
【００１１】
本発明の保護ガードは、暖房機本体と保護ガードを一体とすることで、暖房機とともに移動可能という利便性がえられ、さらに常に暖房機周囲を一定空間を保って囲っているため安全性を高めることができる。
【発明を実施するための最良の形態】
【００１２】
第１の発明はキャスターを備えた脚部と本体とから構成された暖房機の本体周囲に一定の空間を確保して設けた保護ガードにおいて、保護ガードは床面に対して所定距離離して（床面との間に空間を持って）暖房機に固定し、暖房機と保護ガードとを一体に構成して暖房機本体とともに移動可能としたことにより、暖房機とともに移動可能という利便性がえられ、さらに常に暖房機周囲を一定空間を保って囲っているため幼児の接触あるいは子供・大人の不注意による接触を防ぐことができ、暖房機の安全性を高める保護ガードを提供することができる。
【００１３】
第２の発明は、特に第１の発明の保護ガードは、脚部の上面に固定手段を設け、この固定手段によって暖房機に固定一体化することにより、保護ガードが暖房機とは別売で後付けとなった場合でも容易に暖房機に装着できる。
【００１４】
第３の発明は、脚部の下面に固定手段を設け、この固定手段によって暖房機に固定一体化しているので、固定に十分な強度が得られるとともに、脚部との締結部分が隠れ、見映えも向上する。
【００１５】
第４の発明は、暖房機の本体下面に固定手段を設け、この固定手段によって暖房機に固定一体化されているので、固定に十分な強度が得られる。
【００１６】
第５の発明は、保護ガードの配置や大きさに関するもので、キャスターの取付軸を含む平面を仮想した場合に、その平面のうち、前後の平面の間に保護ガードを配設したものである。保護ガードがキャスターの取付軸よりも外側に延出している場合は上方から保護ガードを押した時に本体ごと転倒する恐れがあるが、本発明のように保護ガードをキャスター取付軸の内側に配設することで、上方から保護ガードを押されてもその力をキャスターが十分に受け止め転倒しない保護ガードを提供できる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における保護ガードの斜視図、図２は暖房機へ取り付けた状態を示す斜視図、図３は取付部の詳細を示す斜視図、図６は同取付部の詳細を示す断面図である。
【００１９】
図１、図２、図３、図６において、保護ガード１は上下に配したパイプの間に縦方向にロッドを多数設けて構成してあり、コの字型の保護ガード１を２つ組み合わせて囲う形状とし、暖房機２（本体）の２ヶ所の脚３（脚部）上に載置する。このとき暖房機２の脚３上には保護ガード１の固定手段である固定部４（前後とも、計８ヶ所）があらかじめ設けてあり、この固定部４にはビス止め用のネジ穴が２ヶ所ずつ設けてある。保護ガード１の下部パイプにも固定穴５が設けてあり（計８ヶ所）、ネジ６（計８本）を用いて固定する。また、暖房機２の脚３の下部にはキャスター７（計４脚）を備え、暖房機２が自在に移動できる構成としてある。
【００２０】
以上のように構成された保護ガード１と暖房機２について、以下その動作、作用を説明する。
【００２１】
まず、暖房機２は自然対流型の輻射暖房機で、内蔵するヒーター（図示せず）に通電することで発生する熱で自然対流を生じて室内を暖房するとともに、本体表面温度が上昇することで輻射エネルギーを放射して輻射暖房効果も得られるタイプの暖房機である。従って、暖房機２を購入したユーザーが、幼児あるいは高齢者などが高温になった暖房機２本体に不用意に触れることを危惧することが予想されるため、暖房機２に不用意に触れられないようその周囲一定空間を空けて保護する保護ガード１を暖房機２とは別売り品として用意してある。保護ガード１はコの字型の２つに分割されており、梱包容積を約半分にでき保管コスト、輸送コストを削減できる。使用時にはこのコの字型の保護ガード１の上下のパイプの端部同士を接合し囲う形状に組み立てる。この際、パイプの端部内側にひと周り径が小さいパイプ（図示せず）を挿入し、このパイプを介して接合する。組み立てられた保護ガード１を暖房機２の２ヶ所の脚３上に載置するが、このとき脚３上には保護ガード１の固定部４（前後とも、計８ヶ所）があらかじめ設けてあり、それぞれにビス止め用のネジ穴が２ヶ所ずつ設けてある。この４ヶ所の固定部４の外側になるように保護ガード１を載置する。このとき、保護ガード１の下部パイプにも固定穴５が設けてあり（計８ヶ所）、保護ガード１に付属のネジ６（計８本）を用いて固定する。
【００２２】
また、暖房機２の脚３の下部にはキャスター７（計４脚）を備え、暖房機２が自在に移動できる構成としてあり、本発明の保護ガード１はこの脚３上に載置しているため、暖房機２が移動されても常にその周囲一定距離を保って存在し、幼児あるいは高齢者などが高温になった暖房機２本体に不用意に触れることを防ぐことができる。
【００２３】
さらにこのような暖房機２に保護ガード１を固定した構成では、子供が保護ガード１にぶら下がる、あるいは大人が保護ガード１先端に不用意に手をつくなどした場合、転倒することが予想される。しかしながら本発明の保護ガード１は、図６に示すように前後のキャスター７の取付軸を示すライン８を含む平面（図示せず）の内側に保護ガード１を配置しているので安定度が増し、保護ガード１の上から力が加わっても前後のキャスター７の内側で十分に耐え、転倒しにくい。なお図においては、保護ガード１をキャスター７の取付軸よりも相当量内側に配設した場合を示したが、保護ガード１の前後面がキャスター７の取付軸と同一面にあっても、転倒しにくい効果を得ることができる。
【００２４】
なお、保護ガード１の組立てにパイプの端部内側にひと周り径が小さいパイプを挿入し、このパイプを介して接合しているが、保護ガード１の組立て手段はこの方法のみによらず、たとえばパイプの端部をつぶして穴を開けて片側にナットを溶接しておき、つぶした端部を重ねてビス止めするなど、別の手段も可能である。
【００２５】
また、暖房機２は自然対流の輻射暖房機と記したが、これにこだわるものではなく、たとえば温風暖房機など他の暖房機でも使用し得る。
【００２６】
（実施の形態２）
図４は本発明の第２の実施の形態における保護ガード１を取り付ける状況を示す構成図である。
【００２７】
図４において第１の実施の形態と異なる部分のみ説明すると、固定金具９は保護ガード１に同梱販売されており、２ヶ所の脚３の下面にビス１０（計８本）を用いて計４個が固定されている。この固定金具９の上に保護ガード１を載置し、この固定金具９の穴と保護ガード１の穴５を合わせて、ビス６（計８本）を用いて固定する。
【００２８】
以上のように構成された保護ガード１について、以下その動作、作用を説明する。
【００２９】
第１の実施の形態と異なる部分のみ説明すると、保護ガード１を購入したユーザーは、まず同梱の固定金具９（計４個）を付属のビス１０（計８本）を使用して脚３の裏の金具に固定し、この固定金具９の上に保護ガード１を載置し、この固定金具９の穴と保護ガード１の穴５を合わせて、ビス６（計８本）を用いて固定する。
【００３０】
このとき、保護ガードは重量が数ｋｇとなる可能性があるが、脚３の上面はデザイン性向上のため、樹脂で成型したカバーを用いることもある。そこで裏面には暖房機２本体を支えるために必要強度を持った金属が使用されており、これに固定金具９を固定することで、十分な強度を持って保護ガード１を支えることができる。
【００３１】
（実施の形態３）
図５は本発明の第２の実施の形態における保護ガード１の取付部の詳細を示す斜視図である。
【００３２】
図５において第１の実施の形態と異なる部分のみ説明すると、取付金具１１（２個）は保護ガード１に同梱販売されており、ビス１２（計４本）によって暖房機２左右端下面に固定されている。保護ガード１下部のパイプには固定用の穴１３が計４ヶ所設けてあり、固定用のビス１４（計４本）で固定する。
【００３３】
以上のように構成された保護ガード１について、以下その動作、作用を説明する。
【００３４】
第１の実施の形態と異なる部分のみ説明すると、保護ガード１を購入したユーザーは、まず同梱の取付金具１１（２個）を付属のビス１２（４本）で暖房機２左右下面にそれぞれ固定する。そのあと、保護ガード１を載置し保護ガード１下部のパイプに設けた固定穴１３と取付金具１１の穴を合わせて付属の固定用ビス１４で固定する。
【００３５】
このとき保護ガードは重量が数ｋｇとなる可能性があるが、脚３の上面はデザイン性向上のため、樹脂で成型したカバーを用いることもある。そこで丈夫な暖房機２本体下面の金属部に取付金具１１を直接固定することで、十分な強度を持って保護ガード１を支えることができる。
【産業上の利用可能性】
【００３６】
以上のように、本発明にかかる保護ガードは、キャスター付の暖房機の脚上あるいは暖房機本体に固定しているので暖房機と保護ガードの移動が容易で、しかも常に暖房機から一定の距離を保って保護ガードが存在するので、幼児や高齢者などが不用意に高温の暖房機本体に触れることを防ぐことができる。また、このガードは暖房機の前後のキャスター固定軸の直上またはその範囲内に配置しているため、上から押されても前後のキャスターで十分に耐え、転倒しにくい暖房機への保護ガードの固定手段を実現できる。
【図面の簡単な説明】
【００３７】
【図１】本発明の実施の形態１における保護ガードの斜視図
【図２】本発明の実施の形態１における保護ガードの取り付け状態を示す斜視図
【図３】本発明の実施の形態１における保護ガードの取付部の詳細を示す斜視図
【図４】本発明の実施の形態２における保護ガードを取り付ける状況を示す構成図
【図５】本発明の実施の形態３における保護ガードの取付部の詳細を示す斜視図
【図６】本発明の実施の形態１における保護ガードの取り付け部の詳細を示す断面図
【図７】従来の保護ガードを示す平面図
【符号の説明】
【００３８】
１  保護ガード
２  暖房機（本体）
３  脚（脚部）
４  固定部（固定手段）
５  固定穴
６  ビス
７  キャスター
８  キャスターの取付軸（を示すライン）
【図１】
2006097952.tif 000003
【図２】
2006097952.tif 000004
【図３】
2006097952.tif 000005
【図４】
2006097952.tif 000006
【図５】
2006097952.tif 000007
【図６】
2006097952.tif 000008
【図７】
2006097952.tif 000009